(57)【要約】      （修正有）【課題】撹拌が完了した後に清掃がし易い農業施肥装置の提供。【解決手段】台座９と支柱１０を通じて前記台座の頂部に固定的に取り付けられる容箱１１を含み、前記台座の内底部にカウンターウェイト溝９０が設置され、前記カウンターウェイト溝にカウンターウェイトブロック９１が固定的に取り付けられ、前記容箱に混ぜ合わせ筐体１６が設置され、前記混ぜ合わせ筐体の底壁に外部と連通する排泄溝２７が設置され、前記排泄溝に制御バルブ２６が固定的に取り付けられ、前記混ぜ合わせ筐体の頂壁に外部と連通する注入溝２０が設置され、前記混ぜ合わせ筐体の頂壁に第一安設溝１７と前記第一安設溝の上方に位置する第二安設溝２４が設置され、前記第一安設溝の底壁に上下に伸びる第一回転軸１４が回転可能なように取り付けられる。【選択図】図１
2019171357.tif 000002
【特許請求の範囲】
【請求項１】
新型農業施肥装置であって、台座と支柱を通じて前記台座の頂部に固定的に取り付けられる容箱を含み、前記台座の内底部にカウンターウェイト溝が設置され、前記カウンターウェイト溝にカウンターウェイトブロックが固定的に取り付けられ、前記カウンターウェイトブロックを通じて前記台座を支持する時の安定性を増加でき、前記容箱に混ぜ合わせ筐体が設置され、前記混ぜ合わせ筐体の底壁に外部と連通する排泄溝が設置され、前記排泄溝に制御バルブが固定的に取り付けられ、前記混ぜ合わせ筐体の頂壁に外部と連通する注入溝が設置され、前記混ぜ合わせ筐体の頂壁に第一安設溝と前記第一安設溝の上方に位置する第二安設溝が設置され、前記第一安設溝の底壁に上下に伸びる第一回転軸が回転可能なように取り付けられ、前記第一回転軸の上端が前記第一安設溝に伸びて回転テーブルが固定的に取り付けられ、下端が前記混ぜ合わせ筐体に伸びて上下に交錯し混ぜ合わせアームが取り付けられ、前記第一回転軸に上下が連通する空溝が設置され、前記空溝がベアリングを通じて上下に伸びる第二回転軸が回転可能なように取り付けられ、前記第二回転軸が前記回転テーブルを通り抜けて前記第一回転筐体の頂壁と前記第二安設溝に伸びて、前記第二安設溝に前記第二回転軸と固定的に接続する第一錐斜輪が設置され、前記第一安設溝が第三回転軸を通じて第一ギアを取り付けて、前記第三回転軸の上端が前記第一安設溝の頂壁に固定的に取り付けられる第一電機と動力が伝達可能なように接続し、前記回転テーブルに前記第一ギアと係合し接続するリングギアが固定的に設置され、前記第二安設溝の右端壁に上下に伸びる第一滑り筐体が設置され、前記第一滑り筐体に上下に可動の滑り押しブロックが取り付けられ、前記滑り押しブロックに上下に伸びるスタッドが係合し取り付けられ、前記スタッドの下端が前記第一滑り筐体の下端壁に回転可能なように取り付けられ、上端が前記第一滑り筐体の頂壁に固定的に取り付けられる第二電機と動力が伝達可能なように接続し、前記第二安設溝が第四回転軸を通じて前記第一錐斜輪と係合し接続する第二錐斜輪を設置し、前記第四回転軸が前記滑り押しブロックに固定的に取り付けられる第三電機と動力が伝達可能なように接続し、前記空溝に前記混ぜ合わせアームと対応し前記第二回転軸と固定的に接続する巻設筒が設置され、前記混ぜ合わせアームに左右が連通する第二滑り筐体が設置され、前記第二滑り筐体が前記空溝の間に連通する第一通合溝が設置され、前記第二滑り筐体に左右に摺動可能なように滑り柱が取り付けられ、前記滑り柱に左右が連通する第二通合溝が設置され、前記混ぜ合わせアームが前記第一回転軸と離れる一端に前記滑り柱と固定的に接続する接続ブロックが設置され、前記接続ブロックに上下が連通する口が前記第一回転軸と離れる第四滑り筐体が設置され、前記第四滑り筐体に上下対等に上下に可動のそぐブロックが取り付けられ、前記第四滑り筐体が前記第二滑り筐体の間に第三通合溝が設置され、前記第四滑り筐体が軸レバーを通じて二つのそぐブロックの間に位置する定滑車を回転可能なように取り付け、二つのそぐブロックが相対する端面にケーブルが固定的に取り付けられ、前記ケーブルが前記定滑車を迂回し順番に前記第三通合溝を通り抜けて、第二通合溝と第一通合溝が前記巻設筒と固定的に接続し、前記回転テーブルにロック装置が設置され、前記第一安設溝の頂壁に前記ロック装置と係合する電気接続装置が設置され、前記ロック装置は前記回転テーブルに設置される第一回転筐体と前記第一回転筐体に設置され前記第二回転軸と固定的に接続する第二ギアを含み、前記第一回転筐体が前記第二ギアと離れる端壁に第五滑り筐体が設置され、前記第五滑り筐体に鉄石が非固定的に取り付けられ、前記鉄石が前記第二ギアに向かう端面に前記第二ギアと係合するロックギアが設置され、前記第五滑り筐体が前記第二ギアと離れる端壁に前記鉄石と係合する電磁装置が固定的に取り付けられ、前記第五滑り筐体の上下の端壁に対応して第一ガイド溝が設置され、前記第一ガイド溝に前記鉄石と固定的に接続する第一ガイドブロックが非固定的に取り付けられ、前記第一ガイド溝に前記第一ガイドブロックと接続する第一ばねくぎが取り付けられ、前記電気接続装置は前記第一据付溝の頂壁に設置される第二回転筐体と前記第二回転筐体に設置され前記第一回転軸と固定的に接続する導電輪を含み、前記第二回転筐体の右端壁に第六滑り筐体が設置され、前記第六滑り筐体に第一電気接続ブロックが非固定的に取り付けられ、前記第一電気接続ブロックの右端面に前記第五滑り筐体の右端壁と相殺する第二ばねくぎが固定的に取り付けられ、前記第二ばねくぎが前記第一電気接続ブロックを左に押圧し前記導電輪と相殺させ、前記第五滑り筐体の右端壁の前記第一滑り筐体の底壁に前記第一電気接続ブロックと電気的に接続する第二電気接続ブロックが固定的に取り付けられ、前記滑り押しブロックの下端面に商用電源と接続し前記第二電気接続ブロックと係合する電力供給ブロックが固定的に取り付けられ、前記第二滑り筐体の上下の端壁に対応して第二ガイド溝が設置され、前記第二ガイド溝に前記滑柱と固定的に接続する第二ガイドブロックが非固定的に取り付けられ、前記第二ガイド溝に前記第二導接ブロックと固定的に接続する第三ばねくぎが固定的に取り付けられ、前記第四滑り筐体に上下に対応して第三ガイド溝が設置され、前記第三ガイド溝に前記そぐブロックと固定的に接続する第三ガイドブロックが非固定的に取り付けられ、前記第三ガイド溝に前記第三ガイドブロックと固定的に接続する第四ばねくぎが固定的に取り付けられることを特徴とする新型農業施肥装置。
【発明の詳細な説明】
【技術分野】
【０００１】
本発明は農業施肥技術分野に関し、具体的には新型農業施肥装置に関する。
【背景技術】
【０００２】
農業の肥料の作成には、攪拌装置を使って多種の養分を持つ肥料をかき混ぜて、伝統的な肥料攪拌装置の設定モードは単一で、攪拌が完了した後清掃しにくく、装置の内壁に多くの殘留物が残され、二回目に使用する際に深刻な影響がある。
【先行技術文献】
【特許文献】
【０００３】
【特許文献１】中国特許出願公開第 107155477号明細書
【発明の概要】
【発明が解決しようとする課題】
【０００４】
上記の技術の不足に対して、本発明は新型農業施肥装置を提供した。
【課題を解決するための手段】
【０００５】
本発明に係る新型農業施肥装置は、台座と支柱を通じて前記台座の頂部に固定的に取り付けられる容箱を含み、前記台座の内底部にカウンターウェイト溝が設置され、前記カウンターウェイト溝にカウンターウェイトブロックが固定的に取り付けられ、前記カウンターウェイトブロックを通じて前記台座を支持する時の安定性を増加でき、前記容箱に混ぜ合わせ筐体が設置され、前記混ぜ合わせ筐体の底壁に外部と連通する排泄溝が設置され、前記排泄溝に制御バルブが固定的に取り付けられ、前記混ぜ合わせ筐体の頂壁に外部と連通する注入溝が設置され、前記混ぜ合わせ筐体の頂壁に第一安設溝と前記第一安設溝の上方に位置する第二安設溝が設置され、前記第一安設溝の底壁に上下に伸びる第一回転軸が回転可能なように取り付けられ、前記第一回転軸の上端が前記第一安設溝に伸びて回転テーブルが固定的に取り付けられ、下端が前記混ぜ合わせ筐体に伸びて上下に交錯し混ぜ合わせアームが取り付けられ、前記第一回転軸に上下が連通する空溝が設置され、前記空溝がベアリングを通じて上下に伸びる第二回転軸が回転可能なように取り付けられ、前記第二回転軸が前記回転テーブルを通り抜けて前記第一回転筐体の頂壁と前記第二安設溝に伸びて、前記第二安設溝に前記第二回転軸と固定的に接続する第一錐斜輪が設置され、前記第一安設溝が第三回転軸を通じて第一ギアを取り付けて、前記第三回転軸の上端が前記第一安設溝の頂壁に固定的に取り付けられる第一電機と動力が伝達可能なように接続し、前記回転テーブルに前記第一ギアと係合し接続するリングギアが固定的に設置され、前記第二安設溝の右端壁に上下に伸びる第一滑り筐体が設置され、前記第一滑り筐体に上下に可動の滑り押しブロックが取り付けられ、前記滑り押しブロックに上下に伸びるスタッドが係合し取り付けられ、前記スタッドの下端が前記第一滑り筐体の下端壁に回転可能なように取り付けられ、上端が前記第一滑り筐体の頂壁に固定的に取り付けられる第二電機と動力が伝達可能なように接続し、前記第二安設溝が第四回転軸を通じて前記第一錐斜輪と係合し接続する第二錐斜輪を設置し、前記第四回転軸が前記滑り押しブロックに固定的に取り付けられる第三電機と動力が伝達可能なように接続し、前記空溝に前記混ぜ合わせアームと対応して前記第二回転軸と固定的に接続する巻設筒が設置され、前記混ぜ合わせアームに左右が連通する第二滑り筐体が設置され、前記第二滑り筐体が前記空溝の間に連通する第一通合溝が設置され、前記第二滑り筐体に左右に摺動可能なように滑り柱が取り付けられ、前記滑り柱に左右が連通する第二通合溝が設置され、前記混ぜ合わせアームが前記第一回転軸と離れる一端に前記滑り柱と固定的に接続する接続ブロックが設置され、前記接続ブロックに上下が連通する口が前記第一回転軸と離れる第四滑り筐体が設置され、前記第四滑り筐体に上下対等に上下に可動のそぐブロックが取り付けられ、前記第四滑り筐体が前記第二滑り筐体の間に第三通合溝が設置され、前記第四滑り筐体が軸レバーを通じて二つのそぐブロックの間に位置する定滑車を回転可能なように取り付け、二つのそぐブロックが相対する端面にケーブルが固定的に取り付けられ、前記ケーブルが前記定滑車を迂回し順番に前記第三通合溝を通り抜けて、第二通合溝と第一通合溝が前記巻設筒と固定的に接続し、前記回転テーブルにロック装置が設置され、前記第一安設溝の頂壁に前記ロック装置と係合する電気接続装置が設置される。
【０００６】
好ましくは前記ロック装置は前記回転テーブルに設置される第一回転筐体と前記第一回転筐体に設置され前記第二回転軸と固定的に接続する第二ギアを含み、前記第一回転筐体が前記第二ギアと離れる端壁に第五滑り筐体が設置され、前記第五滑り筐体に鉄石が非固定的に取り付けられ、前記鉄石が前記第二ギアに向かう端面に前記第二ギアと係合するロックギアが設置され、前記第五滑り筐体が前記第二ギアと離れる端壁に前記鉄石と係合する電磁装置が固定的に取り付けられ、前記第五滑り筐体の上下の端壁に対応して第一ガイド溝が設置され、前記第一ガイド溝に前記鉄石と固定的に接続する第一ガイドブロックが非固定的に取り付けられ、前記第一ガイド溝に前記第一ガイドブロックと接続する第一ばねくぎが取り付けられる。
【０００７】
前記電気接続装置は前記第一据付溝の頂壁に設置される第二回転筐体と前記第二回転筐体に設置され前記第一回転軸と固定的に接続する導電輪を含み、前記第二回転筐体の右端壁に第六滑り筐体が設置され、前記第六滑り筐体に第一電気接続ブロックが非固定的に取り付けられ、前記第一電気接続ブロックの右端面に前記第五滑り筐体の右端壁と相殺する第二ばねくぎが固定的に取り付けられ、前記第二ばねくぎが前記第一電気接続ブロックを左に押圧し前記導電輪と相殺させ、前記第五滑り筐体の右端壁の前記第一滑り筐体の底壁に前記第一電気接続ブロックと電気的に接続する第二電気接続ブロックが固定的に取り付けられ、前記滑り押しブロックの下端面に商用電源と接続し前記第二電気接続ブロックと係合する電力供給ブロックが固定的に取り付けられる。
【０００８】
好ましくは前記第二滑り筐体の上下の端壁に対応して第二ガイド溝が設置され、前記第二ガイド溝に前記滑柱と固定的に接続する第二ガイドブロックが非固定的に取り付けられ、前記第二ガイド溝に前記第二導接ブロックと固定的に接続する第三ばねくぎが固定的に取り付けられる。
【０００９】
好ましくは前記第四滑り筐体に上下に対応して第三ガイド溝が設置され、前記第三ガイド溝に前記そぐブロックと固定的に接続する第三ガイドブロックが非固定的に取り付けられ、前記第三ガイド溝に前記第三ガイドブロックと固定的に接続する第四ばねくぎが固定的に取り付けられる。
【発明の効果】
【００１０】
本発明の有益な効果は、本発明が初期状態の時、前記滑り押しブロックが前記第一滑り筐体の頂壁と相殺し、前記電力供給ブロックが前記第二電気連続ブロックと接触せず、前記巻設筒が前記ケーブルを巻き付け、これにより前記そぐブロックを完全に前記第四滑り筐体に収縮させ、前記接続ブロックが前記混ぜ合わせアームと相殺し、前記接続ブロックと前記そぐブロックが前記混ぜ合わせアームの回転を影響しなく、前記第一ばねくぎの作用で、前記第一ガイドブロックが第二ギアに向かって押圧され前記ロックギアと前記第二ギアを噛み合わせて、これにより前記巻設筒が安定に前記ケーブルを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１２】
【図１】図１は本発明の新型農業施肥装置の構造概略図である。
【図２】図２は図１の中の回転テーブルの拡大構造概略図である。
【図３】図３は図１の中の混ぜ合わせアームの拡大構造概略図である。
【図４】図４は図３の中の矢印の方向の構造概略図である。
【図５】図５は図１の中の台座の底面図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明に係る新型農業施肥装置は、台座9と支柱10を通じて前記台座9の頂部に固定的に取り付けられる容箱11を含み、前記台座9の内底部にカウンターウェイト溝90が設置され、前記カウンターウェイト溝90にカウンターウェイトブロック91が固定的に取り付けられ、前記カウンターウェイトブロック91を通じて前記台座9を支持する時の安定性を増加でき、前記容箱11に混ぜ合わせ筐体16が設置され、前記混ぜ合わせ筐体16の底壁に外部と連通する排泄溝27が設置され、前記排泄溝27に制御バルブ26が固定的に取り付けられ、前記混ぜ合わせ筐体16の頂壁に外部と連通する注入溝20が設置され、前記混ぜ合わせ筐体16の頂壁に第一安設溝17と前記第一安設溝17の上方に位置する第二安設溝24が設置され、前記第一安設溝17の底壁に上下に伸びる第一回転軸14が回転可能なように取り付けられ、前記第一回転軸14の上端が前記第一安設溝24に伸びて回転テーブル18が固定的に取り付けられ、下端が前記混ぜ合わせ筐体16に伸びて上下に交錯し混ぜ合わせアーム15が取り付けられ、前記第一回転軸14に上下が連通する空溝13が設置され、前記空溝13がベアリングを通じて上下に伸びる第二回転軸21が回転可能なように取り付けられ、前記第二回転軸21が前記回転テーブル18を通り抜けて前記第一回転筐体17の頂壁と前記第二安設溝24に伸びて、前記第二安設溝24に前記第二回転軸21と固定的に接続する第一錐斜輪39が設置され、前記第一安設溝17が第三回転軸23を通じて第一ギア25を取り付けて、前記第三回転軸23の上端が前記第一安設溝17の頂壁に固定的に取り付けられる第一電機22と動力が伝達可能なように接続し、前記回転テーブル18に前記第一ギア25と係合し接続するリングギア19が固定的に設置され、前記第二安設溝24の右端壁に上下に伸びる第一滑り筐体31が設置され、前記第一滑り筐体31に上下に可動の滑り押しブロック33が取り付けられ、前記滑り押しブロック33に上下に伸びるスタッド32が係合し取り付けられ、前記スタッド32の下端が前記第一滑り筐体31の下端壁に回転可能なように取り付けられ、上端が前記第一滑り筐体31の頂壁に固定的に取り付けられる第二電機34と動力が伝達可能なように接続し、前記第二安設溝24が第四回転軸36を通じて前記第一錐斜輪39と係合し接続する第二錐斜輪37を設置し、前記第四回転軸36が前記滑り押しブロック33に固定的に取り付けられる第三電機35と動力が伝達可能なように接続し、前記空溝13に前記混ぜ合わせアーム15と対応し前記第二回転軸21と固定的に接続する巻設筒12が設置され、前記混ぜ合わせアーム15に左右が連通する第二滑り筐体50が設置され、前記第二滑り筐体50が前記空溝13の間に連通する第一通合溝49が設置され、前記第二滑り筐体50に左右に摺動可能なように滑り柱63が取り付けられ、前記滑り柱63に左右が連通する第二通合溝51が設置され、前記混ぜ合わせアーム15が前記第一回転軸14と離れる一端に前記滑り柱63と固定的に接続する接続ブロック58が設置され、前記接続ブロック58に上下が連通する口が前記第一回転軸14と離れる第四滑り筐体52が設置され、前記第四滑り筐体52に上下対等に上下に可動のそぐブロック64が取り付けられ、前記第四滑り筐体52が前記第二滑り筐体50の間に第三通合溝が設置され、前記第四滑り筐体52が軸レバー59を通じて二つのそぐブロック64の間に位���する定滑車53を回転可能なように取り付け、二つのそぐブロック64が相対する端面にケーブル57が固定的に取り付けられ、前記ケーブル57が前記定滑車53を迂回し順番に前記第三通合溝を通り抜けて、第二通合溝51と第一通合溝49が前記巻設筒12と固定的に接続し、前記回転テーブル18にロック装置が設置され、前記第一安設溝17の頂壁に前記ロック装置と係合する電気接続装置が設置される。
【００１６】
好ましくは前記ロック装置は前記回転テーブル18に設置される第一回転筐体40と前記第一回転筐体40に設置され前記第二回転軸21と固定的に接続する第二ギア42を含み、前記第一回転筐体40が前記第二ギア42と離れる端壁に第五滑り筐体47が設置され、前記第五滑り筐体47に鉄石43が非固定的に取り付けられ、前記鉄石43が前記第二ギア42に向かう端面に前記第二ギア42と係合するロックギアが設置され、前記第五滑り筐体47が前記第二ギア42と離れる端壁に前記鉄石43と係合する電磁装置48が固定的に取り付けられ、前記第五滑り筐体47の上下の端壁に対応して第一ガイド溝46が設置され、前記第一ガイド溝46に前記鉄石43と固定的に接続する第一ガイドブロック44が非固定的に取り付けられ、前記第一ガイド溝46に前記第一ガイドブロック44と接続する第一ばねくぎ45が取り付けられ、前記第一ばねくぎ45が前記第一ガイドブロック44を前記第二ギア42に向かって押圧し前記ロックギアを前記第二ギア42と噛み合わせる。
【００１７】
好ましくは前記電気接続装置は前記第一据付溝26の頂壁に設置される第二回転筐体40と前記第二回転筐体40に設置され前記第一回転軸21と固定的に接続する導電輪41を含み、前記第二回転筐体40の右端壁に第六滑り筐体29が設置され、前記第六滑り筐体29に第一電気接続ブロック27が非固定的に取り付けられ、前記第一電気接続ブロック27の右端面に前記第五滑り筐体29の右端壁と相殺する第二ばねくぎ28が固定的に取り付けられ、前記第二ばねくぎ28が前記第一電気接続ブロック27を左に押圧し前記導電輪41とずっと相殺させ、前記第五滑り筐体29の右端壁の前記第一滑り筐体31の底壁に前記第一電気接続ブロック27と電気的に接続する第二電気接続ブロック30が固定的に取り付けられ、前記滑り押しブロック33の下端面に商用電源と接続し前記第二電気接続ブロック30と係合する電力供給ブロック38が固定的に取り付けられ、これにより前記電力供給ブロック38が前記第二電気接続ブロック30と相殺する時に、前記電磁装置48に電力を供給する。
【００１８】
好ましくは前記第二滑り筐体50の上下の端壁に対応して第二ガイド溝54が設置され、前記第二ガイド溝54に前記滑柱63と固定的に接続する第二ガイドブロック55が非固定的に取り付けられ、前記第二ガイド溝54に前記第二導接ブロック55と固定的に接続する第三ばねくぎ56が固定的に取り付けられ、前記第三ばねくぎ56が前記第二ガイドブロック55を前記巻設筒12と離れて押圧する。
【００１９】
好ましくは前記第四滑り筐体52に上下に対応して第三ガイド溝62が設置され、前記第三ガイド溝62に前記そぐブロック64と固定的に接続する第三ガイドブロック61が非固定的に取り付けられ、前記第三ガイド溝62に前記第三ガイドブロック61と固定的に接続する第四ばねくぎ60が固定的に取り付けられ、前記第四ばねくぎ60が前記第三ガイドブロック61を前記定滑車53と離れて押圧する。
【００２０】
使用する時、前記制御バルブ26を閉めて、前記注入溝20から養分が異なる肥料を前記混ぜ合わせ筐体16に加え、その後に前記第一電機22を起動し、前記第一電機22が前記第一ギア25を通じて前記回転テーブル18を回転可能なように駆動し、前記回転テーブル18が前記第一回転軸14と連動して回転可能にし、前記第一回転軸14が前記混ぜ合わせアーム15と連動して回転可能にし肥料をかき混ぜて、肥料が混合された後、制御バルブ26を開けて、肥料混合物が前記排泄溝27から流れ出て、全部の肥料混合物が流れ出た後、前記制御バルブ26を閉めて、前記注入溝20に洗浄液を加え、その後に前記第二電機34を起動し、前記第二電機34が前記スタッドボルト32を通じて前記滑り押しブロック33を駆動し下にスライドし、前記電力供給ブロック38が前記第二電気接続ブロック30と相殺する時、前記電磁装置48に電力を供給し前記鉄石43に作用し、これにより前記ロックギアを前記第二ギア42と離れて噛み合わせて、この時に前記第二錐斜輪37が前記第一錐斜輪39と噛み合って、その後に第三電機35を起動し、前記第三電機35が前記第二回転軸21を回転可能なように駆動し前記巻設筒12と連動して前記ケーブル57を巻戻し、前記第三ばねくぎ56と第四ばねくぎ60の作用のもとで、前記接続ブロック58と前記そぐブロック64が前記混ぜ合わせ筐体16の内壁と張り合わせて、そぐブロック64が上下に伸びて、その後に逆に前記第二電機34を起動し、前記第二電機34が前記スタッドボルト32を通じて前記滑り押しブロック33を駆動し上にスライドし前記第二錐斜輪37が前記第一錐斜輪39と離れて噛み合わせて、前記電力供給ブロック38が前記第二電気接続ブロック30と離れて相殺させ、その後に前記第一電機22を起動し、前記第一電機22が前記第一回転軸14を回転可能なように駆動し、前記第一回転軸14が前記接続ブロック58と前記そぐブロック54と連動して前記混ぜ合わせ筐体16の内壁を清掃し、清掃した後の廃水は前記排泄溝27より排出する。
【００２１】
本発明の有益な効果は、本発明が初期状態の時、前記滑り押しブロックが前記第一滑り筐体の頂壁と相殺し、前記電力供給ブロックが前記第二電気連続ブロックと接触せず、前記巻設筒が前記ケーブルを巻き付け、これにより前記そぐブロックを完全に前記第四滑り筐体に収縮させ、前記接続ブロックが前記混ぜ合わせアームと相殺し、前記接続ブロックと前記そぐブロックが前記混ぜ合わせアームの回転を影響しなく、前記第一ばねくぎの作用で、前記第一ガイドブロックが第二ギアに向かって押圧され前記ロックギアと前記第二ギアを噛み合わせて、これにより前記巻設筒が安定に前記ケーブルを巻き付ける。
【００２２】
本発明を使用する時、前記制御バルブを閉めて、前記注入溝から養分が異なる肥料を前記混ぜ合わせ筐体に加え、その後に前記第一電機を起動し、前記第一電機が前記第一ギアを通じて前記回転テーブルを回転可能なように駆動し、前記回転テーブルが前記第一回転軸14と連動して回転可能にし、前記第一回転軸が前記混ぜ合わせアームと連動して回転可能なように肥料をかき混ぜて、肥料が混合された後、制御バルブを開けて、肥料混合物が前記排泄溝から流れ出る。
【００２３】
全部の肥料混合物が流れ出た後、前記制御バルブを閉めて、前記注入溝に洗浄液を加え、その後に前記第二電機を起動し、前記第二電機が前記スタッドボルトを通じて前記滑り押しブロックを駆動し下にスライドし、前記電力供給ブロックが前記第二電気接続ブロックと相殺する時、前記電磁装置に電力を供給し前記鉄石に作用し、これにより前記ロックギアを前記第二ギアと離れて噛み合わせて、この時に前記第二錐斜輪が前記第一錐斜輪と噛み合って、その後に第三電機を起動し、前記第三電機が前記第二回転軸を回転可能なように駆動し前記巻設筒と連動して前記ケーブルを巻戻し、前記第三ばねくぎと第四ばねくぎの作用のもとで、前記接続ブロックと前記そぐブロックが前記混ぜ合わせ筐体の内壁と張り合わせて、そぐブロックが上下に伸びて、その後に逆に前記第二電機を起動し、前記第二電機が前記スタッドボルトを通じて前記滑り押しブロックを駆動し上にスライドし前記第二錐斜輪が前記第一錐斜輪と離れて噛み合わせて、前記電力供給ブロックが前記第二電気接続ブロックと離れて相殺させ、その後に前記第一電機を起動し、前記第一電機が前記第一回転軸を回転可能なように駆動し、前記第一回転軸が前記接続ブロックと前記そぐブロックと連動して前記混ぜ合わせ筐体の内壁を清掃し、清掃した後の廃水は前記排泄溝より排出する。
【００２４】
本発明は構造が簡単で、混ぜ合わせ筐体の内壁を清掃することが便利で、清掃効果が良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【図１】
2019171357.tif 000003
【図２】
2019171357.tif 000004
【図３】
2019171357.tif 000005
【図４】
2019171357.tif 000006
【図５】
2019171357.tif 000007
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
洗浄しやすい肥料混合装置であって、台座と支柱を通じて前記台座の頂部に固定的に取り付けられる容箱を含み、前記台座の内底部にカウンターウェイト溝が設置され、前記カウンターウェイト溝にカウンターウェイトブロックが固定的に取り付けられ、前記カウンターウェイトブロックを通じて前記台座を支持する時の安定性を増加でき、前記容箱に混ぜ合わせ筐体が設置され、前記混ぜ合わせ筐体の底壁に外部と連通する排泄溝が設置され、前記排泄溝に制御バルブが固定的に取り付けられ、前記混ぜ合わせ筐体の頂壁に外部と連通する注入溝が設置され、前記混ぜ合わせ筐体の頂壁に第一安設溝と前記第一安設溝の上方に位置する第二安設溝が設置され、前記第一安設溝の底壁に上下に伸びる第一回転軸が回転可能なように取り付けられ、前記第一回転軸の上端が前記第一安設溝に伸びて回転テーブルが固定的に取り付けられ、下端が前記混ぜ合わせ筐体に伸びて上下に交錯し混ぜ合わせアームが取り付けられ、前記第一回転軸に上下が連通する空溝が設置され、前記空溝がベアリングを通じて上下に伸びる第二回転軸が回転可能なように取り付けられ、前記第二回転軸が前記回転テーブルを通り抜けて前記第一安設溝の頂壁と前記第二安設溝に伸びて、前記第二安設溝に前記第二回転軸と固定的に接続する第一錐斜輪が設置され、前記第一安設溝が第三回転軸を通じて第一ギアを取り付けて、前記第三回転軸の上端が前記第一安設溝の頂壁に固定的に取り付けられる第一電機と動力が伝達可能なように接続し、前記回転テーブルに前記第一ギアと係合し接続するリングギアが固定的に設置され、前記第二安設溝の右端壁に上下に伸びる第一滑り筐体が設置され、前記第一滑り筐体に上下に可動の滑り押しブロックが取り付けられ、前記滑り押しブロックに上下に伸びるスタッドが係合し取り付けられ、前記スタッドの下端が前記第一滑り筐体の下端壁に回転可能なように取り付けられ、上端が前記第一滑り筐体の頂壁に固定的に取り付けられる第二電機と動力が伝達可能なように接続し、前記第二安設溝が第四回転軸を通じて前記第一錐斜輪と係合し接続する第二錐斜輪を設置し、前記第四回転軸が前記滑り押しブロックに固定的に取り付けられる第三電機と動力が伝達可能なように接続し、前記空溝に前記混ぜ合わせアームと対応し前記第二回転軸と固定的に接続する巻設筒が設置され、前記混ぜ合わせアームに左右が連通する第二滑り筐体が設置され、前記第二滑り筐体が前記空溝の間に連通する第一通合溝が設置され、前記第二滑り筐体に左右に摺動可能なように滑り柱が取り付けられ、前記滑り柱に左右が連通する第二通合溝が設置され、前記混ぜ合わせアームが前記第一回転軸と離れる一端に前記滑り柱と固定的に接続する接続ブロックが設置され、前記接続ブロックに上下が連通する口が前記第一回転軸と離れる第四滑り筐体が設置され、前記第四滑り筐体に上下対等に上下に可動のそぐブロックが取り付けられ、前記第四滑り筐体が前記第二滑り筐体の間に第三通合溝が設置され、前記第四滑り筐体が軸レバーを通じて二つのそぐブロックの間に位置する定滑車を回転可能なように取り付け、二つのそぐブロックが相対する端面にケーブルが固定的に取り付けられ、前記ケーブルが前記定滑車を迂回し順番に前記第三通合溝を通り抜けて、第二通合溝と第一通合溝が前記巻設筒と固定的に接続し、前記回転テーブルにロック装置が設置され、前記第一安設溝の頂壁に前記ロック装置と係合する電気接続装置が設置され、前記ロック装置は前記回転テーブルに設置される第一安設溝と前記第一安設溝に設置され前記第二回転軸と固定的に接続する第二ギアを含み、前記第一安設溝が前記第二ギアと離れる端壁に第五滑り筐体が設置され、前記第五滑り筐体に鉄石が非固定的に取り付けられ、前記鉄石が前記第二ギアに向かう端面に前記第二ギアと係合するロックギアが設置され、前記第五滑り筐体が前記第二ギアと離れる端壁に前記鉄石と係合する電磁装置が固定的に取り付けられ、前記第五滑り筐体の上下の端壁に対応して第一ガイド溝が設置され、前記第一ガイド溝に前記鉄石と固定的に接続する第一ガイドブロックが非固定的に取り付けられ、前記第一ガイド溝に前記第一ガイドブロックと接続する第一ばねくぎが取り付けられ、前記電気接続装置は前記第一安設溝の頂壁に設置される第二回転筐体と前記第二回転筐体に設置され前記第一回転軸と固定的に接続する導電輪を含み、前記第二回転筐体の右端壁に第六滑り筐体が設置され、前記第六滑り筐体に第一電気接続ブロックが非固定的に取り付けられ、前記第一電気接続ブロックの右端面に前記第五滑り筐体の右端壁と相殺する第二ばねくぎが固定的に取り付けられ、前記第二ばねくぎが前記第一電気接続ブロックを左に押圧し前記導電輪と相殺させ、前記第五滑り筐体の右端壁の前記第一滑り筐体の底壁に前記第一電気接続ブロックと電気的に接続する第二電気接続ブロックが固定的に取り付けられ、前記滑り押しブロックの下端面に商用電源と接続し前記第二電気接続ブロックと係合する電力供給ブロックが固定的に取り付けられ、前記第二滑り筐体の上下の端壁に対応して第二ガイド溝が設置され、前記第二ガイド溝に前記滑柱と固定的に接続する第二ガイドブロックが非固定的に取り付けられ、前記第二ガイド溝に前記第二ガイドブロックと固定的に接続する第三ばねくぎが固定的に取り付けられ、前記第四滑り筐体に上下に対応して第三ガイド溝が設置され、前記第三ガイド溝に前記そぐブロックと固定的に接続する第三ガイドブロックが非固定的に取り付けられ、前記第三ガイド溝に前記第三ガイドブロックと固定的に接続する第四ばねくぎが固定的に取り付けられることを特徴とする洗浄しやすい肥料混合装置（説明の明白と便利を図って、上記した上下左右という方位は図1自身の投影関係の上下左右の方向と一致しますと規定します）。
【手続補正２】
【補正対象書類名】明細書
【補正対象項目名】全文
【補正方法】変更
【補正の内容】
【発明の詳細な説明】
【技術分野】
【０００１】
本発明は農業施肥技術分野に関し、具体的には洗浄しやすい肥料混合装置に関する。
【背景技術】
【０００２】
農業の肥料の作成には、攪拌装置を使って多種の養分を持つ肥料をかき混ぜて、伝統的な肥料攪拌装置の設定モードは単一で、攪拌が完了した後清掃しにくく、装置の内壁に多くの殘留物が残され、二回目に使用する際に深刻な影響がある。
【先行技術文献】
【特許文献】
【０００３】
【特許文献１】中国特許出願公開第 107155477号明細書
【発明の概要】
【発明が解決しようとする課題】
【０００４】
上記の技術の不足に対して、本発明は洗浄しやすい肥料混合装置を提供した。
【課題を解決するための手段】
【０００５】
本発明に係る洗浄しやすい肥料混合装置は、台座と支柱を通じて前記台座の頂部に固定的に取り付けられる容箱を含み、前記台座の内底部にカウンターウェイト溝が設置され、前記カウンターウェイト溝にカウンターウェイトブロックが固定的に取り付けられ、前記カウンターウェイトブロックを通じて前記台座を支持する時の安定性を増加でき、前記容箱に混ぜ合わせ筐体が設置され、前記混ぜ合わせ筐体の底壁に外部と連通する排泄溝が設置され、前記排泄溝に制御バルブが固定的に取り付けられ、前記混ぜ合わせ筐体の頂壁に外部と連通する注入溝が設置され、前記混ぜ合わせ筐体の頂壁に第一安設溝と前記第一安設溝の上方に位置する第二安設溝が設置され、前記第一安設溝の底壁に上下に伸びる第一回転軸が回転可能なように取り付けられ、前記第一回転軸の上端が前記第一安設溝に伸びて回転テーブルが固定的に取り付けられ、下端が前記混ぜ合わせ筐体に伸びて上下に交錯し混ぜ合わせアームが取り付けられ、前記第一回転軸に上下が連通する空溝が設置され、前記空溝がベアリングを通じて上下に伸びる第二回転軸が回転可能なように取り付けられ、前記第二回転軸が前記回転テーブルを通り抜けて前記第一安設溝の頂壁と前記第二安設溝に伸びて、前記第二安設溝に前記第二回転軸と固定的に接続する第一錐斜輪が設置され、前記第一安設溝が第三回転軸を通じて第一ギアを取り付けて、前記第三回転軸の上端が前記第一安設溝の頂壁に固定的に取り付けられる第一電機と動力が伝達可能なように接続し、前記回転テーブルに前記第一ギアと係合し接続するリングギアが固定的に設置され、前記第二安設溝の右端壁に上下に伸びる第一滑り筐体が設置され、前記第一滑り筐体に上下に可動の滑り押しブロックが取り付けられ、前記滑り押しブロックに上下に伸びるスタッドが係合し取り付けられ、前記スタッドの下端が前記第一滑り筐体の下端壁に回転可能なように取り付けられ、上端が前記第一滑り筐体の頂壁に固定的に取り付けられる第二電機と動力が伝達可能なように接続し、前記第二安設溝が第四回転軸を通じて前記第一錐斜輪と係合し接続する第二錐斜輪を設置し、前記第四回転軸が前記滑り押しブロックに固定的に取り付けられる第三電機と動力が伝達可能なように接続し、前記空溝に前記混ぜ合わせアームと対応して前記第二回転軸と固定的に接続する巻設筒が設置され、前記混ぜ合わせアームに左右が連通する第二滑り筐体が設置され、前記第二滑り筐体が前記空溝の間に連通する第一通合溝が設置され、前記第二滑り筐体に左右に摺動可能なように滑り柱が取り付けられ、前記滑り柱に左右が連通する第二通合溝が設置され、前記混ぜ合わせアームが前記第一回転軸と離れる一端に前記滑り柱と固定的に接続する接続ブロックが設置され、前記接続ブロックに上下が連通する口が前記第一回転軸と離れる第四滑り筐体が設置され、前記第四滑り筐体に上下対等に上下に可動のそぐブロックが取り付けられ、前記第四滑り筐体が前記第二滑り筐体の間に第三通合溝が設置され、前記第四滑り筐体が軸レバーを通じて二つのそぐブロックの間に位置する定滑車を回転可能なように取り付け、二つのそぐブロックが相対する端面にケーブルが固定的に取り付けられ、前記ケーブルが前記定滑車を迂回し順番に前記第三通合溝を通り抜けて、第二通合溝と第一通合溝が前記巻設筒と固定的に接続し、前記回転テーブルにロック装置が設置され、前記第一安設溝の頂壁に前記ロック装置と係合する電気接続装置が設置される。
【０００６】
好ましくは前記ロック装置は前記回転テーブルに設置される第一安設溝と前記第一安設溝に設置され前記第二回転軸と固定的に接続する第二ギアを含み、前記第一安設溝が前記第二ギアと離れる端壁に第五滑り筐体が設置され、前記第五滑り筐体に鉄石が非固定的に取り付けられ、前記鉄石が前記第二ギアに向かう端面に前記第二ギアと係合するロックギアが設置され、前記第五滑り筐体が前記第二ギアと離れる端壁に前記鉄石と係合する電磁装置が固定的に取り付けられ、前記第五滑り筐体の上下の端壁に対応して第一ガイド溝が設置され、前記第一ガイド溝に前記鉄石と固定的に接続する第一ガイドブロックが非固定的に取り付けられ、前記第一ガイド溝に前記第一ガイドブロックと接続する第一ばねくぎが取り付けられる。
【０００７】
前記電気接続装置は前記第一安設溝の頂壁に設置される第二回転筐体と前記第二回転筐体に設置され前記第一回転軸と固定的に接続する導電輪を含み、前記第二回転筐体の右端壁に第六滑り筐体が設置され、前記第六滑り筐体に第一電気接続ブロックが非固定的に取り付けられ、前記第一電気接続ブロックの右端面に前記第五滑り筐体の右端壁と相殺する第二ばねくぎが固定的に取り付けられ、前記第二ばねくぎが前記第一電気接続ブロックを左に押圧し前記導電輪と相殺させ、前記第五滑り筐体の右端壁の前記第一滑り筐体の底壁に前記第一電気接続ブロックと電気的に接続する第二電気接続ブロックが固定的に取り付けられ、前記滑り押しブロックの下端面に商用電源と接続し前記第二電気接続ブロックと係合する電力供給ブロックが固定的に取り付けられる。
【０００８】
好ましくは前記第二滑り筐体の上下の端壁に対応して第二ガイド溝が設置され、前記第二ガイド溝に前記滑柱と固定的に接続する第二ガイドブロックが非固定的に取り付けられ、前記第二ガイド溝に前記第二ガイドブロックと固定的に接続する第三ばねくぎが固定的に取り付けられる。
【０００９】
好ましくは前記第四滑り筐体に上下に対応して第三ガイド溝が設置され、前記第三ガイド溝に前記そぐブロックと固定的に接続する第三ガイドブロックが非固定的に取り付けられ、前記第三ガイド溝に前記第三ガイドブロックと固定的に接続する第四ばねくぎが固定的に取り付けられる。
【発明の効果】
【００１０】
本発明の有益な効果は、本発明が初期状態の時、前記滑り押しブロックが前記第一滑り筐体の頂壁と相殺し、前記電力供給ブロックが前記第二電気連続ブロックと接触せず、前記巻設筒が前記ケーブルを巻き付け、これにより前記そぐブロックを完全に前記第四滑り筐体に収縮させ、前記接続ブロックが前記混ぜ合わせアームと相殺し、前記接続ブロックと前記そぐブロックが前記混ぜ合わせアームの回転を影響しなく、前記第一ばねくぎの作用で、前記第一ガイドブロックが第二ギアに向かって押圧され前記ロックギアと前記第二ギアを噛み合わせて、これにより前記巻設筒が安定に前記ケーブルを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１２】
【図１】図１は本発明の洗浄しやすい肥料混合装置の構造概略図である。
【図２】図２は図１の中の回転テーブルの拡大構造概略図である。
【図３】図３は図１の中の混ぜ合わせアームの拡大構造概略図である。
【図４】図４は図３の中の矢印の方向の構造概略図である。
【図５】図５は図１の中の台座の底面図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明に係る洗浄しやすい肥料混合装置は、台座9と支柱10を通じて前記台座9の頂部に固定的に取り付けられる容箱11を含み、前記台座9の内底部にカウンターウェイト溝90が設置され、前記カウンターウェイト溝90にカウンターウェイトブロック91が固定的に取り付けられ、前記カウンターウェイトブロック91を通じて前記台座9を支持する時の安定性を増加でき、前記容箱11に混ぜ合わせ筐体16が設置され、前記混ぜ合わせ筐体16の底壁に外部と連通する排泄溝27が設置され、前記排泄溝27に制御バルブ26が固定的に取り付けられ、前記混ぜ合わせ筐体16の頂壁に外部と連通する注入溝20が設置され、前記混ぜ合わせ筐体16の頂壁に第一安設溝17と前記第一安設溝17の上方に位置する第二安設溝24が設置され、前記第一安設溝17の底壁に上下に伸びる第一回転軸14が回転可能なように取り付けられ、前記第一回転軸14の上端が前記第一安設溝24に伸びて回転テーブル18が固定的に取り付けられ、下端が前記混ぜ合わせ筐体16に伸びて上下に交錯し混ぜ合わせアーム15が取り付けられ、前記第一回転軸14に上下が連通する空溝13が設置され、前記空溝13がベアリングを通じて上下に伸びる第二回転軸21が回転可能なように取り付けられ、前記第二回転軸21が前記回転テーブル18を通り抜けて前記第一安設溝17の頂壁と前記第二安設溝24に伸びて、前記第二安設溝24に前記第二回転軸21と固定的に接続する第一錐斜輪39が設置され、前記第一安設溝17が第三回転軸23を通じて第一ギア25を取り付けて、前記第三回転軸23の上端が前記第一安設溝17の頂壁に固定的に取り付けられる第一電機22と動力が伝達可能なように接続し、前記回転テーブル18に前記第一ギア25と係合し接続するリングギア19が固定的に設置され、前記第二安設溝24の右端壁に上下に伸びる第一滑り筐体31が設置され、前記第一滑り筐体31に上下に可動の滑り押しブロック33が取り付けられ、前記滑り押しブロック33に上下に伸びるスタッド32が係合し取り付けられ、前記スタッド32の下端が前記第一滑り筐体31の下端壁に回転可能なように取り付けられ、上端が前記第一滑り筐体31の頂壁に固定的に取り付けられる第二電機34と動力が伝達可能なように接続し、前記第二安設溝24が第四回転軸36を通じて前記第一錐斜輪39と係合し接続する第二錐斜輪37を設置し、前記第四回転軸36が前記滑り押しブロック33に固定的に取り付けられる第三電機35と動力が伝達可能なように接続し、前記空溝13に前記混ぜ合わせアーム15と対応し前記第二回転軸21と固定的に接続する巻設筒12が設置され、前記混ぜ合わせアーム15に左右が連通する第二滑り筐体50が設置され、前記第二滑り筐体50が前記空溝13の間に連通する第一通合溝49が設置され、前記第二滑り筐体50に左右に摺動可能なように滑り柱63が取り付けられ、前記滑り柱63に左右が連通する第二通合溝51が設置され、前記混ぜ合わせアーム15が前記第一回転軸14と離れる一端に前記滑り柱63と固定的に接続する接続ブロック58が設置され、前記接続ブロック58に上下が連通する口が前記第一回転軸14と離れる第四滑り筐体52が設置され、前記第四滑り筐体52に上下対等に上下に可動のそぐブロック64が取り付けられ、前記第四滑り筐体52が前記第二滑り筐体50の間に第三通合溝が設置され、前記第四滑り筐体52が軸レバー59を通じて二つのそぐブロック64の���に位置する定滑車53を回転可能なように取り付け、二つのそぐブロック64が相対する端面にケーブル57が固定的に取り付けられ、前記ケーブル57が前記定滑車53を迂回し順番に前記第三通合溝を通り抜けて、第二通合溝51と第一通合溝49が前記巻設筒12と固定的に接続し、前記回転テーブル18にロック装置が設置され、前記第一安設溝17の頂壁に前記ロック装置と係合する電気接続装置が設置される。
【００１６】
好ましくは前記ロック装置は前記回転テーブル18に設置される第一安設溝40と前記第一安設溝40に設置され前記第二回転軸21と固定的に接続する第二ギア42を含み、前記第一安設溝40が前記第二ギア42と離れる端壁に第五滑り筐体47が設置され、前記第五滑り筐体47に鉄石43が非固定的に取り付けられ、前記鉄石43が前記第二ギア42に向かう端面に前記第二ギア42と係合するロックギアが設置され、前記第五滑り筐体47が前記第二ギア42と離れる端壁に前記鉄石43と係合する電磁装置48が固定的に取り付けられ、前記第五滑り筐体47の上下の端壁に対応して第一ガイド溝46が設置され、前記第一ガイド溝46に前記鉄石43と固定的に接続する第一ガイドブロック44が非固定的に取り付けられ、前記第一ガイド溝46に前記第一ガイドブロック44と接続する第一ばねくぎ45が取り付けられ、前記第一ばねくぎ45が前記第一ガイドブロック44を前記第二ギア42に向かって押圧し前記ロックギアを前記第二ギア42と噛み合わせる。
【００１７】
好ましくは前記電気接続装置は前記第一安設溝26の頂壁に設置される第二回転筐体40と前記第二回転筐体40に設置され前記第一回転軸21と固定的に接続する導電輪41を含み、前記第二回転筐体40の右端壁に第六滑り筐体29が設置され、前記第六滑り筐体29に第一電気接続ブロック27が非固定的に取り付けられ、前記第一電気接続ブロック27の右端面に前記第五滑り筐体29の右端壁と相殺する第二ばねくぎ28が固定的に取り付けられ、前記第二ばねくぎ28が前記第一電気接続ブロック27を左に押圧し前記導電輪41とずっと相殺させ、前記第五滑り筐体29の右端壁の前記第一滑り筐体31の底壁に前記第一電気接続ブロック27と電気的に接続する第二電気接続ブロック30が固定的に取り付けられ、前記滑り押しブロック33の下端面に商用電源と接続し前記第二電気接続ブロック30と係合する電力供給ブロック38が固定的に取り付けられ、これにより前記電力供給ブロック38が前記第二電気接続ブロック30と相殺する時に、前記電磁装置48に電力を供給する。
【００１８】
好ましくは前記第二滑り筐体50の上下の端壁に対応して第二ガイド溝54が設置され、前記第二ガイド溝54に前記滑柱63と固定的に接続する第二ガイドブロック55が非固定的に取り付けられ、前記第二ガイド溝54に前記第二ガイドブロック55と固定的に接続する第三ばねくぎ56が固定的に取り付けられ、前記第三ばねくぎ56が前記第二ガイドブロック55を前記巻設筒12と離れて押圧する。
【００１９】
好ましくは前記第四滑り筐体52に上下に対応して第三ガイド溝62が設置され、前記第三ガイド溝62に前記そぐブロック64と固定的に接続する第三ガイドブロック61が非固定的に取り付けられ、前記第三ガイド溝62に前記第三ガイドブロック61と固定的に接続する第四ばねくぎ60が固定的に取り付けられ、前記第四ばねくぎ60が前記第三ガイドブロック61を前記定滑車53と離れて押圧する。
【００２０】
使用する時、前記制御バルブ26を閉めて、前記注入溝20から養分が異なる肥料を前記混ぜ合わせ筐体16に加え、その後に前記第一電機22を起動し、前記第一電機22が前記第一ギア25を通じて前記回転テーブル18を回転可能なように駆動し、前記回転テーブル18が前記第一回転軸14と連動して回転可能にし、前記第一回転軸14が前記混ぜ合わせアーム15と連動して回転可能にし肥料をかき混ぜて、肥料が混合された後、制御バルブ26を開けて、肥料混合物が前記排泄溝27から流れ出て、全部の肥料混合物が流れ出た後、前記制御バルブ26を閉めて、前記注入溝20に洗浄液を加え、その後に前記第二電機34を起動し、前記第二電機34が前記スタッドボルト32を通じて前記滑り押しブロック33を駆動し下にスライドし、前記電力供給ブロック38が前記第二電気接続ブロック30と相殺する時、前記電磁装置48に電力を供給し前記鉄石43に作用し、これにより前記ロックギアを前記第二ギア42と離れて噛み合わせて、この時に前記第二錐斜輪37が前記第一錐斜輪39と噛み合って、その後に第三電機35を起動し、前記第三電機35が前記第二回転軸21を回転可能なように駆動し前記巻設筒12と連動して前記ケーブル57を巻戻し、前記第三ばねくぎ56と第四ばねくぎ60の作用のもとで、前記接続ブロック58と前記そぐブロック64が前記混ぜ合わせ筐体16の内壁と張り合わせて、そぐブロック64が上下に伸びて、その後に逆に前記第二電機34を起動し、前記第二電機34が前記スタッドボルト32を通じて前記滑り押しブロック33を駆動し上にスライドし前記第二錐斜輪37が前記第一錐斜輪39と離れて噛み合わせて、前記電力供給ブロック38が前記第二電気接続ブロック30と離れて相殺させ、その後に前記第一電機22を起動し、前記第一電機22が前記第一回転軸14を回転可能なように駆動し、前記第一回転軸14が前記接続ブロック58と前記そぐブロック54と連動して前記混ぜ合わせ筐体16の内壁を清掃し、清掃した後の廃水は前記排泄溝27より排出する。
【００２１】
本発明の有益な効果は、本発明が初期状態の時、前記滑り押しブロックが前記第一滑り筐体の頂壁と相殺し、前記電力供給ブロックが前記第二電気連続ブロックと接触せず、前記巻設筒が前記ケーブルを巻き付け、これにより前記そぐブロックを完全に前記第四滑り筐体に収縮させ、前記接続ブロックが前記混ぜ合わせアームと相殺し、前記接続ブロックと前記そぐブロックが前記混ぜ合わせアームの回転を影響しなく、前記第一ばねくぎの作用で、前記第一ガイドブロックが第二ギアに向かって押圧され前記ロックギアと前記第二ギアを噛み合わせて、これにより前記巻設筒が安定に前記ケーブルを巻き付ける。
【００２２】
本発明を使用する時、前記制御バルブを閉めて、前記注入溝から養分が異なる肥料を前記混ぜ合わせ筐体に加え、その後に前記第一電機を起動し、前記第一電機が前記第一ギアを通じて前記回転テーブルを回転可能なように駆動し、前記回転テーブルが前記第一回転軸14と連動して回転可能にし、前記第一回転軸が前記混ぜ合わせアームと連動して回転可能なように肥料をかき混ぜて、肥料が混合された後、制御バルブを開けて、肥料混合物が前記排泄溝から流れ出る。
【００２３】
全部の肥料混合物が流れ出た後、前記制御バルブを閉めて、前記注入溝に洗浄液を加え、その後に前記第二電機を起動し、前記第二電機が前記スタッドボルトを通じて前記滑り押しブロックを駆動し下にスライドし、前記電力供給ブロックが前記第二電気接続ブロックと相殺する時、前記電磁装置に電力を供給し前記鉄石に作用し、これにより前記ロックギアを前記第二ギアと離れて噛み合わせて、この時に前記第二錐斜輪が前記第一錐斜輪と噛み合って、その後に第三電機を起動し、前記第三電機が前記第二回転軸を回転可能なように駆動し前記巻設筒と連動して前記ケーブルを巻戻し、前記第三ばねくぎと第四ばねくぎの作用のもとで、前記接続ブロックと前記そぐブロックが前記混ぜ合わせ筐体の内壁と張り合わせて、そぐブロックが上下に伸びて、その後に逆に前記第二電機を起動し、前記第二電機が前記スタッドボルトを通じて前記滑り押しブロックを駆動し上にスライドし前記第二錐斜輪が前記第一錐斜輪と離れて噛み合わせて、前記電力供給ブロックが前記第二電気接続ブロックと離れて相殺させ、その後に前記第一電機を起動し、前記第一電機が前記第一回転軸を回転可能なように駆動し、前記第一回転軸が前記接続ブロックと前記そぐブロックと連動して前記混ぜ合わせ筐体の内壁を清掃し、清掃した後の廃水は前記排泄溝より排出する。
【００２４】
本発明は構造が簡単で、混ぜ合わせ筐体の内壁を清掃することが便利で、清掃効果が良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
正面視で、洗浄しやすい肥料混合装置であって、台座と支柱を通じて前記台座の頂部に固定的に取り付けられる容箱を含み、前記台座の内底部にカウンターウェイト溝が設置され、前記カウンターウェイト溝にカウンターウェイトブロックが固定的に取り付けられ、前記カウンターウェイトブロックを通じて前記台座を支持する時の安定性を増加でき、前記容箱に混ぜ合わせ筐体が設置され、前記混ぜ合わせ筐体の底壁に外部と連通する排泄溝が設置され、前記排泄溝に制御バルブが固定的に取り付けられ、前記混ぜ合わせ筐体の頂壁に外部と連通する注入溝が設置され、前記混ぜ合わせ筐体の頂壁に第一安設溝と前記第一安設溝の上方に位置する第二安設溝が設置され、前記第一安設溝の底壁に上下に伸びる第一回転軸が回転可能なように取り付けられ、前記第一回転軸の上端が前記第一安設溝に位置しており且つ前記第一回転軸の上端には回転テーブルが固定的に取り付けられ、下端が前記混ぜ合わせ筐体に伸びて上下に交錯し混ぜ合わせアームが取り付けられ、前記第一回転軸に上下が連通する空溝が設置され、前記空溝がベアリングを通じて上下に伸びる第二回転軸が回転可能なように取り付けられ、前記第二回転軸が前記回転テーブルを通り抜けて前記第一安設溝の頂壁と前記第二安設溝に伸びて、前記第二安設溝に前記第二回転軸と固定的に接続する第一錐斜輪が設置され、前記第一安設溝が第三回転軸を通じて第一ギアを取り付けて、前記第三回転軸の上端が前記第一安設溝の頂壁に固定的に取り付けられる第一電機と動力が伝達可能なように接続し、前記回転テーブルに前記第一ギアと係合し接続するリングギアが固定的に設置され、前記第二安設溝の右端壁に上下に伸びる第一滑り筐体が設置され、前記第一滑り筐体に上下に可動の滑り押しブロックが取り付けられ、前記滑り押しブロックに上下に伸びるスタッドが係合し取り付けられ、前記スタッドの下端が前記第一滑り筐体の下端壁に回転可能なように取り付けられ、上端が前記第一滑り筐体の頂壁に固定的に取り付けられる第二電機と動力が伝達可能なように接続し、前記第二安設溝が第四回転軸を通じて前記第一錐斜輪と係合し接続する第二錐斜輪を設置し、前記第四回転軸が前記滑り押しブロックに固定的に取り付けられる第三電機と動力が伝達可能なように接続し、前記空溝に前記混ぜ合わせアームと対応し前記第二回転軸と固定的に接続する巻設筒が設置され、前記混ぜ合わせアームに左右が連通する第二滑り筐体が設置され、前記第二滑り筐体が前記空溝の間に連通する第一通合溝が設置され、前記第二滑り筐体に左右に摺動可能なように滑り柱が取り付けられ、前記滑り柱に左右が連通する第二通合溝が設置され、前記混ぜ合わせアームが前記第一回転軸と離れる一端に前記滑り柱と固定的に接続する接続ブロックが設置され、前記接続ブロックに上下が連通する口が前記第一回転軸と離れる第四滑り筐体が設置され、前記第四滑り筐体に上下対等に上下に可動の清掃ブロックが取り付けられ、前記第四滑り筐体が前記第二滑り筐体の間に第三通合溝が設置され、前記第四滑り筐体が軸レバーを通じて二つの清掃ブロックの間に位置する定滑車を回転可能なように取り付け、二つの清掃ブロックが相対する端面にケーブルが固定的に取り付けられ、前記ケーブルが前記定滑車を迂回し順番に前記第三通合溝を通り抜けて、第二通合溝と第一通合溝が前記巻設筒と固定的に接続し、前記回転テーブルにロック装置が設置され、前記第一安設溝の頂壁に前記ロック装置と係合する電気接続装置が設置され、前記ロック装置は前記回転テーブルに設置される第一チャンバと前記第一チャンバに設置され前記第二回転軸と固定的に接続する第二ギアを含み、前記第一チャンバが前記第二ギアと離れる端壁に第五滑り筐体が設置され、前記第五滑り筐体に鉄石が非固定的に取り付けられ、前記鉄石が前記第二ギアに向かう端面に前記第二ギアと係合するロックギアが設置され、前記第五滑り筐体が前記第二ギアと離れる端壁に前記鉄石と係合する電磁装置が固定的に取り付けられ、前記第五滑り筐体の上下の端壁に対応して第一ガイド溝が設置され、前記第一ガイド溝に前記鉄石と固定的に接続する第一ガイドブロックが非固定的に取り付けられ、前記第一ガイド溝に前記第一ガイドブロックと接続する第一ばねが取り付けられ、前記電気接続装置は前記第一安設溝の頂壁に設置される第二回転筐体と前記第二回転筐体に設置され前記第一回転軸と固定的に接続する導電輪を含み、前記第二回転筐体の右端壁に第六滑り筐体が設置され、前記第六滑り筐体に第一電気接続ブロックが非固定的に取り付けられ、前記第一電気接続ブロックの右端面に前記第五滑り筐体の右端壁と相殺する第二ばねが固定的に取り付けられ、前記第二ばねが前記第一電気接続ブロックを左に押圧し前記導電輪と相殺させ、前記第五滑り筐体の右端壁の前記第一滑り筐体の底壁に前記第一電気接続ブロックと電気的に接続する第二電気接続ブロックが固定的に取り付けられ、前記滑り押しブロックの下端面に商用電源と接続し前記第二電気接続ブロックと係合する電力供給ブロックが固定的に取り付けられ、前記第二滑り筐体の上下の端壁に対応して第二ガイド溝が設置され、前記第二ガイド溝に前記滑り柱と固定的に接続する第二ガイドブロックが非固定的に取り付けられ、前記第二ガイド溝に前記第二ガイドブロックと固定的に接続する第三ばねが固定的に取り付けられ、前記第四滑り筐体に上下に対応して第三ガイド溝が設置され、前記第三ガイド溝に前記清掃ブロックと固定的に接続する第三ガイドブロックが非固定的に取り付けられ、前記第三ガイド溝に前記第三ガイドブロックと固定的に接続する第四ばねが固定的に取り付けられることを特徴とする洗浄しやすい肥料混合装置。
【手続補正２】
【補正対象書類名】明細書
【補正対象項目名】全文
【補正方法】変更
【補正の内容】
【発明の詳細な説明】
【技術分野】
【０００１】
本発明は農業施肥技術分野に関し、具体的には洗浄しやすい肥料混合装置に関する。
【背景技術】
【０００２】
農業の肥料の作成には、攪拌装置を使って多種の養分を持つ肥料をかき混ぜて、伝統的な肥料攪拌装置の設定モードは単一で、攪拌が完了した後清掃しにくく、装置の内壁に多くの殘留物が残され、二回目に使用する際に深刻な影響がある。
【先行技術文献】
【特許文献】
【０００３】
【特許文献１】中国特許出願公開第 107155477号明細書
【発明の概要】
【発明が解決しようとする課題】
【０００４】
上記の技術の不足に対して、本発明は洗浄しやすい肥料混合装置を提供した。
【課題を解決するための手段】
【０００５】
本発明に係る洗浄しやすい肥料混合装置は、台座と支柱を通じて前記台座の頂部に固定的に取り付けられる容箱を含み、前記台座の内底部にカウンターウェイト溝が設置され、前記カウンターウェイト溝にカウンターウェイトブロックが固定的に取り付けられ、前記カウンターウェイトブロックを通じて前記台座を支持する時の安定性を増加でき、前記容箱に混ぜ合わせ筐体が設置され、前記混ぜ合わせ筐体の底壁に外部と連通する排泄溝が設置され、前記排泄溝に制御バルブが固定的に取り付けられ、前記混ぜ合わせ筐体の頂壁に外部と連通する注入溝が設置され、前記混ぜ合わせ筐体の頂壁に第一安設溝と前記第一安設溝の上方に位置する第二安設溝が設置され、前記第一安設溝の底壁に上下に伸びる第一回転軸が回転可能なように取り付けられ、前記第一回転軸の上端が前記第一安設溝に位置しており且つ前記第一回転軸の上端には回転テーブルが固定的に取り付けられ、下端が前記混ぜ合わせ筐体に伸びて上下に交錯し混ぜ合わせアームが取り付けられ、前記第一回転軸に上下が連通する空溝が設置され、前記空溝がベアリングを通じて上下に伸びる第二回転軸が回転可能なように取り付けられ、前記第二回転軸が前記回転テーブルを通り抜けて前記第一安設溝の頂壁と前記第二安設溝に伸びて、前記第二安設溝に前記第二回転軸と固定的に接続する第一錐斜輪が設置され、前記第一安設溝が第三回転軸を通じて第一ギアを取り付けて、前記第三回転軸の上端が前記第一安設溝の頂壁に固定的に取り付けられる第一電機と動力が伝達可能なように接続し、前記回転テーブルに前記第一ギアと係合し接続するリングギアが固定的に設置され、前記第二安設溝の右端壁に上下に伸びる第一滑り筐体が設置され、前記第一滑り筐体に上下に可動の滑り押しブロックが取り付けられ、前記滑り押しブロックに上下に伸びるスタッドが係合し取り付けられ、前記スタッドの下端が前記第一滑り筐体の下端壁に回転可能なように取り付けられ、上端が前記第一滑り筐体の頂壁に固定的に取り付けられる第二電機と動力が伝達可能なように接続し、前記第二安設溝が第四回転軸を通じて前記第一錐斜輪と係合し接続する第二錐斜輪を設置し、前記第四回転軸が前記滑り押しブロックに固定的に取り付けられる第三電機と動力が伝達可能なように接続し、前記空溝に前記混ぜ合わせアームと対応して前記第二回転軸と固定的に接続する巻設筒が設置され、前記混ぜ合わせアームに左右が連通する第二滑り筐体が設置され、前記第二滑り筐体が前記空溝の間に連通する第一通合溝が設置され、前記第二滑り筐体に左右に摺動可能なように滑り柱が取り付けられ、前記滑り柱に左右が連通する第二通合溝が設置され、前記混ぜ合わせアームが前記第一回転軸と離れる一端に前記滑り柱と固定的に接続する接続ブロックが設置され、前記接続ブロックに上下が連通する口が前記第一回転軸と離れる第四滑り筐体が設置され、前記第四滑り筐体に上下対等に上下に可動の清掃ブロックが取り付けられ、前記第四滑り筐体が前記第二滑り筐体の間に第三通合溝が設置され、前記第四滑り筐体が軸レバーを通じて二つの清掃ブロックの間に位置する定滑車を回転可能なように取り付け、二つの清掃ブロックが相対する端面にケーブルが固定的に取り付けられ、前記ケーブルが前記定滑車を迂回し順番に前記第三通合溝を通り抜けて、第二通合溝と第一通合溝が前記巻設筒と固定的に接続し、前記回転テーブルにロック装置が設置され、前記第一安設溝の頂壁に前記ロック装置と係合する電気接続装置が設置される。
【０００６】
好ましくは前記ロック装置は前記回転テーブルに設置される第一チャンバと前記第一チャンバに設置され前記第二回転軸と固定的に接続する第二ギアを含み、前記第一チャンバが前記第二ギアと離れる端壁に第五滑り筐体が設置され、前記第五滑り筐体に鉄石が非固定的に取り付けられ、前記鉄石が前記第二ギアに向かう端面に前記第二ギアと係合するロックギアが設置され、前記第五滑り筐体が前記第二ギアと離れる端壁に前記鉄石と係合する電磁装置が固定的に取り付けられ、前記第五滑り筐体の上下の端壁に対応して第一ガイド溝が設置され、前記第一ガイド溝に前記鉄石と固定的に接続する第一ガイドブロックが非固定的に取り付けられ、前記第一ガイド溝に前記第一ガイドブロックと接続する第一ばねが取り付けられる。
【０００７】
前記電気接続装置は前記第一安設溝の頂壁に設置される第二回転筐体と前記第二回転筐体に設置され前記第一回転軸と固定的に接続する導電輪を含み、前記第二回転筐体の右端壁に第六滑り筐体が設置され、前記第六滑り筐体に第一電気接続ブロックが非固定的に取り付けられ、前記第一電気接続ブロックの右端面に前記第五滑り筐体の右端壁と相殺する第二ばねが固定的に取り付けられ、前記第二ばねが前記第一電気接続ブロックを左に押圧し前記導電輪と相殺させ、前記第五滑り筐体の右端壁の前記第一滑り筐体の底壁に前記第一電気接続ブロックと電気的に接続する第二電気接続ブロックが固定的に取り付けられ、前記滑り押しブロックの下端面に商用電源と接続し前記第二電気接続ブロックと係合する電力供給ブロックが固定的に取り付けられる。
【０００８】
好ましくは前記第二滑り筐体の上下の端壁に対応して第二ガイド溝が設置され、前記第二ガイド溝に前記滑り柱と固定的に接続する第二ガイドブロックが非固定的に取り付けられ、前記第二ガイド溝に前記第二ガイドブロックと固定的に接続する第三ばねが固定的に取り付けられる。
【０００９】
好ましくは前記第四滑り筐体に上下に対応して第三ガイド溝が設置され、前記第三ガイド溝に前記清掃ブロックと固定的に接続する第三ガイドブロックが非固定的に取り付けられ、前記第三ガイド溝に前記第三ガイドブロックと固定的に接続する第四ばねが固定的に取り付けられる。
【発明の効果】
【００１０】
本発明の有益な効果は、本発明が初期状態の時、前記滑り押しブロックが前記第一滑り筐体の頂壁と相殺し、前記電力供給ブロックが前記第二電気連続ブロックと接触せず、前記巻設筒が前記ケーブルを巻き付け、これにより前記清掃ブロックを完全に前記第四滑り筐体に収縮させ、前記接続ブロックが前記混ぜ合わせアームと相殺し、前記接続ブロックと前記清掃ブロックが前記混ぜ合わせアームの回転を影響しなく、前記第一ばねの作用で、前記第一ガイドブロックが第二ギアに向かって押圧され前記ロックギアと前記第二ギアを噛み合わせて、これにより前記巻設筒が安定に前記ケーブルを巻き付ける。
【図面の簡単な説明】
【００１１】
本発明の実施例また既存の技術の中の技術方案をもっと明確に説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１２】
【図１】図１は本発明の洗浄しやすい肥料混合装置の構造概略図である。
【図２】図２は図１の中の回転テーブルの拡大構造概略図である。
【図３】図３は図１の中の混ぜ合わせアームの拡大構造概略図である。
【図４】図４は図３の中の矢印の方向の構造概略図である。
【図５】図５は図１の中の台座の底面図である。
【発明を実施するための形態】
【００１３】
本明細書に開示した全ての特徴、或いは開示した全ての方法、過程中のステップは、互いに排斥する特徴或いはステップ以外に、いかなる方式で組み合わせることができる。
【００１４】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００１５】
図１−図５が示すように、本発明に係る洗浄しやすい肥料混合装置は、台座9と支柱10を通じて前記台座9の頂部に固定的に取り付けられる容箱11を含み、前記台座9の内底部にカウンターウェイト溝90が設置され、前記カウンターウェイト溝90にカウンターウェイトブロック91が固定的に取り付けられ、前記カウンターウェイトブロック91を通じて前記台座9を支持する時の安定性を増加でき、前記容箱11に混ぜ合わせ筐体16が設置され、前記混ぜ合わせ筐体16の底壁に外部と連通する排泄溝27が設置され、前記排泄溝27に制御バルブ26が固定的に取り付けられ、前記混ぜ合わせ筐体16の頂壁に外部と連通する注入溝20が設置され、前記混ぜ合わせ筐体16の頂壁に第一安設溝17と前記第一安設溝17の上方に位置する第二安設溝24が設置され、前記第一安設溝17の底壁に上下に伸びる第一回転軸14が回転可能なように取り付けられ、前記第一回転軸14の上端が前記第一安設溝17に位置しており且つ前記第一回転軸14の上端には回転テーブル18が固定的に取り付けられ、下端が前記混ぜ合わせ筐体16に伸びて上下に交錯し混ぜ合わせアーム15が取り付けられ、前記第一回転軸14に上下が連通する空溝13が設置され、前記空溝13がベアリングを通じて上下に伸びる第二回転軸21が回転可能なように取り付けられ、前記第二回転軸21が前記回転テーブル18を通り抜けて前記第一安設溝17の頂壁と前記第二安設溝24に伸びて、前記第二安設溝24に前記第二回転軸21と固定的に接続する第一錐斜輪39が設置され、前記第一安設溝17が第三回転軸23を通じて第一ギア25を取り付けて、前記第三回転軸23の上端が前記第一安設溝17の頂壁に固定的に取り付けられる第一電機22と動力が伝達可能なように接続し、前記回転テーブル18に前記第一ギア25と係合し接続するリングギア19が固定的に設置され、前記第二安設溝24の右端壁に上下に伸びる第一滑り筐体31が設置され、前記第一滑り筐体31に上下に可動の滑り押しブロック33が取り付けられ、前記滑り押しブロック33に上下に伸びるスタッド32が係合し取り付けられ、前記スタッド32の下端が前記第一滑り筐体31の下端壁に回転可能なように取り付けられ、上端が前記第一滑り筐体31の頂壁に固定的に取り付けられる第二電機34と動力が伝達可能なように接続し、前記第二安設溝24が第四回転軸36を通じて前記第一錐斜輪39と係合し接続する第二錐斜輪37を設置し、前記第四回転軸36が前記滑り押しブロック33に固定的に取り付けられる第三電機35と動力が伝達可能なように接続し、前記空溝13に前記混ぜ合わせアーム15と対応し前記第二回転軸21と固定的に接続する巻設筒12が設置され、前記混ぜ合わせアーム15に左右が連通する第二滑り筐体50が設置され、前記第二滑り筐体50が前記空溝13の間に連通する第一通合溝49が設置され、前記第二滑り筐体50に左右に摺動可能なように滑り柱63が取り付けられ、前記滑り柱63に左右が連通する第二通合溝51が設置され、前記混ぜ合わせアーム15が前記第一回転軸14と離れる一端に前記滑り柱63と固定的に接続する接続ブロック58が設置され、前記接続ブロック58に上下が連通する口が前記第一回転軸14と離れる第四滑り筐体52が設置され、前記第四滑り筐体52に上下対等に上下に可動の清掃ブロック64が取り付けられ、前記第四滑り筐体52が前記第二滑り筐体50の間に第三通合溝が設置され、前記第四滑り筐体52が軸レバー59を通じて二つの清掃ブロック64の間に位置する定滑車53を回転可能なように取り付け、二つの清掃ブロック64が相対する端面にケーブル57が固定的に取り付けられ、前記ケーブル57が前記定滑車53を迂回し順番に前記第三通合溝を通り抜けて、第二通合溝51と第一通合溝49が前記巻設筒12と固定的に接続し、前記回転テーブル18にロック装置が設置され、前記第一安設溝17の頂壁に前記ロック装置と係合する電気接続装置が設置される。
【００１６】
好ましくは前記ロック装置は前記回転テーブル18に設置される第一チャンバ65と前記第一チャンバ65に設置され前記第二回転軸21と固定的に接続する第二ギア42を含み、前記第一チャンバ65が前記第二ギア42と離れる端壁に第五滑り筐体47が設置され、前記第五滑り筐体47に鉄石43が非固定的に取り付けられ、前記鉄石43が前記第二ギア42に向かう端面に前記第二ギア42と係合するロックギアが設置され、前記第五滑り筐体47が前記第二ギア42と離れる端壁に前記鉄石43と係合する電磁装置48が固定的に取り付けられ、前記第五滑り筐体47の上下の端壁に対応して第一ガイド溝46が設置され、前記第一ガイド溝46に前記鉄石43と固定的に接続する第一ガイドブロック44が非固定的に取り付けられ、前記第一ガイド溝46に前記第一ガイドブロック44と接続する第一ばね45が取り付けられ、前記第一ばね45が前記第一ガイドブロック44を前記第二ギア42に向かって押圧し前記ロックギアを前記第二ギア42と噛み合わせる。
【００１７】
好ましくは前記電気接続装置は前記第一安設溝26の頂壁に設置される第二回転筐体40と前記第二回転筐体40に設置され前記第一回転軸21と固定的に接続する導電輪41を含み、前記第二回転筐体40の右端壁に第六滑り筐体29が設置され、前記第六滑り筐体29に第一電気接続ブロック27が非固定的に取り付けられ、前記第一電気接続ブロック27の右端面に前記第五滑り筐体29の右端壁と相殺する第二ばね28が固定的に取り付けられ、前記第二ばね28が前記第一電気接続ブロック27を左に押圧し前記導電輪41とずっと相殺させ、前記第五滑り筐体29の右端壁の前記第一滑り筐体31の底壁に前記第一電気接続ブロック27と電気的に接続する第二電気接続ブロック30が固定的に取り付けられ、前記滑り押しブロック33の下端面に商用電源と接続し前記第二電気接続ブロック30と係合する電力供給ブロック38が固定的に取り付けられ、これにより前記電力供給ブロック38が前記第二電気接続ブロック30と相殺する時に、前記電磁装置48に電力を供給する。
【００１８】
好ましくは前記第二滑り筐体50の上下の端壁に対応して第二ガイド溝54が設置され、前記第二ガイド溝54に前記滑り柱63と固定的に接続する第二ガイドブロック55が非固定的に取り付けられ、前記第二ガイド溝54に前記第二ガイドブロック55と固定的に接続する第三ばね56が固定的に取り付けられ、前記第三ばね56が前記第二ガイドブロック55を前記巻設筒12と離れて押圧する。
【００１９】
好ましくは前記第四滑り筐体52に上下に対応して第三ガイド溝62が設置され、前記第三ガイド溝62に前記清掃ブロック64と固定的に接続する第三ガイドブロック61が非固定的に取り付けられ、前記第三ガイド溝62に前記第三ガイドブロック61と固定的に接続する第四ばね60が固定的に取り付けられ、前記第四ばね60が前記第三ガイドブロック61を前記定滑車53と離れて押圧する。
【００２０】
使用する時、前記制御バルブ26を閉めて、前記注入溝20から養分が異なる肥料を前記混ぜ合わせ筐体16に加え、その後に前記第一電機22を起動し、前記第一電機22が前記第一ギア25を通じて前記回転テーブル18を回転可能なように駆動し、前記回転テーブル18が前記第一回転軸14と連動して回転可能にし、前記第一回転軸14が前記混ぜ合わせアーム15と連動して回転可能にし肥料をかき混ぜて、肥料が混合された後、制御バルブ26を開けて、肥料混合物が前記排泄溝27から流れ出て、全部の肥料混合物が流れ出た後、前記制御バルブ26を閉めて、前記注入溝20に洗浄液を加え、その後に前記第二電機34を起動し、前記第二電機34が前記スタッドボルト32を通じて前記滑り押しブロック33を駆動し下にスライドし、前記電力供給ブロック38が前記第二電気接続ブロック30と相殺する時、前記電磁装置48に電力を供給し前記鉄石43に作用し、これにより前記ロックギアを前記第二ギア42と離れて噛み合わせて、この時に前記第二錐斜輪37が前記第一錐斜輪39と噛み合って、その後に第三電機35を起動し、前記第三電機35が前記第二回転軸21を回転可能なように駆動し前記巻設筒12と連動して前記ケーブル57を巻戻し、前記第三ばね56と第四ばね60の作用のもとで、前記接続ブロック58と前記清掃ブロック64が前記混ぜ合わせ筐体16の内壁と張り合わせて、清掃ブロック64が上下に伸びて、その後に逆に前記第二電機34を起動し、前記第二電機34が前記スタッドボルト32を通じて前記滑り押しブロック33を駆動し上にスライドし前記第二錐斜輪37が前記第一錐斜輪39と離れて噛み合わせて、前記電力供給ブロック38が前記第二電気接続ブロック30と離れて相殺させ、その後に前記第一電機22を起動し、前記第一電機22が前記第一回転軸14を回転可能なように駆動し、前記第一回転軸14が前記接続ブロック58と前記清掃ブロック54と連動して前記混ぜ合わせ筐体16の内壁を清掃し、清掃した後の廃水は前記排泄溝27より排出する。
【００２１】
本発明の有益な効果は、本発明が初期状態の時、前記滑り押しブロックが前記第一滑り筐体の頂壁と相殺し、前記電力供給ブロックが前記第二電気連続ブロックと接触せず、前記巻設筒が前記ケーブルを巻き付け、これにより前記清掃ブロックを完全に前記第四滑り筐体に収縮させ、前記接続ブロックが前記混ぜ合わせアームと相殺し、前記接続ブロックと前記清掃ブロックが前記混ぜ合わせアームの回転を影響しなく、前記第一ばねの作用で、前記第一ガイドブロックが第二ギアに向かって押圧され前記ロックギアと前記第二ギアを噛み合わせて、これにより前記巻設筒が安定に前記ケーブルを巻き付ける。
【００２２】
本発明を使用する時、前記制御バルブを閉めて、前記注入溝から養分が異なる肥料を前記混ぜ合わせ筐体に加え、その後に前記第一電機を起動し、前記第一電機が前記第一ギアを通じて前記回転テーブルを回転可能なように駆動し、前記回転テーブルが前記第一回転軸14と連動して回転可能にし、前記第一回転軸が前記混ぜ合わせアームと連動して回転可能なように肥料をかき混ぜて、肥料が混合された後、制御バルブを開けて、肥料混合物が前記排泄溝から流れ出る。
【００２３】
全部の肥料混合物が流れ出た後、前記制御バルブを閉めて、前記注入溝に洗浄液を加え、その後に前記第二電機を起動し、前記第二電機が前記スタッドボルトを通じて前記滑り押しブロックを駆動し下にスライドし、前記電力供給ブロックが前記第二電気接続ブロックと相殺する時、前記電磁装置に電力を供給し前記鉄石に作用し、これにより前記ロックギアを前記第二ギアと離れて噛み合わせて、この時に前記第二錐斜輪が前記第一錐斜輪と噛み合って、その後に第三電機を起動し、前記第三電機が前記第二回転軸を回転可能なように駆動し前記巻設筒と連動して前記ケーブルを巻戻し、前記第三ばねと第四ばねの作用のもとで、前記接続ブロックと前記清掃ブロックが前記混ぜ合わせ筐体の内壁と張り合わせて、清掃ブロックが上下に伸びて、その後に逆に前記第二電機を起動し、前記第二電機が前記スタッドボルトを通じて前記滑り押しブロックを駆動し上にスライドし前記第二錐斜輪が前記第一錐斜輪と離れて噛み合わせて、前記電力供給ブロックが前記第二電気接続ブロックと離れて相殺させ、その後に前記第一電機を起動し、前記第一電機が前記第一回転軸を回転可能なように駆動し、前記第一回転軸が前記接続ブロックと前記清掃ブロックと連動して前記混ぜ合わせ筐体の内壁を清掃し、清掃した後の廃水は前記排泄溝より排出する。
【００２４】
本発明は構造が簡単で、混ぜ合わせ筐体の内壁を清掃することが便利で、清掃効果が良い。
【００２５】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の特許請求の範囲と同等内容に画定される。